(57)【要約】【課題】内視鏡検査中に用いられる医療用具を容易かつ確実に保持することができる医療用具懸架装置を提供する。【解決手段】細長の挿入部を有する医療用具を保持する医療用具保持手段１０と、医療用具保持手段１０に保持された前記医療用具の前記挿入部を保護する保護部材６０と、保護部材６０を係止する枠体４０と、保護部材６０を枠体４０に固定する固定手段１００と、医療用具保持手段１０を支持し、枠体４０を保持する支柱２０と、支柱２０に着脱自在に装着または固定されている脚部３０と、を有することを特徴とする。【選択図】図１
2005323944.tif 000002
【特許請求の範囲】
【請求項１】
細長の医療用具の挿入部を保護する保護部材と、
前記保護部材を係止する枠体と、
前記保護部材を前記枠体に固定する固定手段と、
を有することを特徴とする医療用具懸架装置。
【請求項２】
細長の挿入部を有する医療用具を保持する医療用具保持手段と、
前記医療用具保持手段に保持された前記医療用具の前記挿入部を保護する保護部材と、
前記保護部材を係止する枠体と、
前記保護部材を前記枠体に固定する固定手段と、
前記医療用具保持手段を支持し、前記枠体を保持する支柱と、
前記支柱に着脱自在に装着または固定されている脚部と、
を有することを特徴とする医療用具懸架装置。
【請求項３】
前記保護部材は、防水性を有する袋であり、該袋に開口部が形成されており、該開口部の開口縁が前記枠体に係止されることを特徴とする請求項１または２に記載の医療用具懸架装置。
【請求項４】
前記保護部材は、前記枠体に対し交換自在に取付けられることを特徴とする請求項１〜３のいずれかに記載の医療用具懸架装置。
【請求項５】
前記枠体は、２つの折り曲げ部が形成された略コの字状を有する棒状部材により構成されていることを特徴とする請求項１〜４のいずれかに記載の医療用具懸架装置。
【請求項６】
前記固定手段は、接続部と、前記枠体を被覆する被覆部とを有し、前記接続部は、前記枠体に固定されていることを特徴とする請求項１〜５のいずれかに記載の医療用具懸架装置。
【請求項７】
前記枠体は、管状に形成されており、該管の周面に穴が穿設されており、該穴に、前記固定手段の接続部が係合固定されていることを特徴とする請求項１〜６のいずれかに記載の医療用具懸架装置。
【請求項８】
前記固定手段は、弾性部材により構成されていることを特徴とする請求項１〜７のいずれかに記載の医療用具懸架装置。
【請求項９】
前記固定手段は、前記枠体の先端に一部が固定されたコイルバネであることを特徴とする請求項１〜５、８のいずれかに記載の医療用具懸架装置。
【請求項１０】
前記枠体の先端に、さらに有底穴が形成されており、前記固定手段は、前記有底穴に嵌入された弾性部材を有する押圧部材であることを特徴とする請求項１〜５、８のいずれかに記載の医療用具懸架装置。
【発明の詳細な説明】
【技術分野】
【０００１】
本発明は、医療用具懸架装置、詳しくは、内視鏡使用の際に用いる処置具等の医療用具を保持する医療用具懸架装置に関する。
【背景技術】
【０００２】
周知のように、内視鏡は、医療分野等において広く利用されている。術者は、被検者の体腔内に内視鏡の細長い挿入部を挿入することによって、体腔内の臓器を観察することができる。また内視鏡の処置具挿通チャンネル内に必要に応じて挿入した処置具、超音波振動子を有するプローブ、またはメジャー等の医療用具を用いて各種処置等を行うことができる。
【０００３】
ところで、複数の医療用具を用いて各種処置等を行う場合、実際に処置に使用している医療用具以外の複数の医療用具は、例えば助手に保持してもらう必要があり、術者にとっては、医療用具を交換する毎に、助手とのやりとりを行わなくてはならず、大変煩雑なものであった。また、術者が１人で処置を行う場合には、使用していない医療用具を無造作に取り扱うこともできないため、大変不便であった。
【０００４】
このような事情に鑑み、特許文献１には、内視鏡用の処置具を保持する処置具保持スタンドが提案され、開示されている。この処置具スタンドは、一対の腕部、基台、支柱、垂下溝を有する保持平板からなり、上記保持平板の垂下溝が処置具の操作部を保持する保持部として構成されている。
【特許文献１】特公平５−６４６３号公報
【発明の開示】
【発明が解決しようとする課題】
【０００５】
しかしながら、上述した特許文献１の処置具スタンドでは、処置具は、該処置具の操作部を保持平板にて保持し、該処置具の先端を弾性的に拡張できる一対の腕部により保持している。
【０００６】
よって、処置具を保持する際に、該処置具の操作部と先端部との２箇所を保持しなければならず、該保持の作業が、術者または助手にとって、煩雑であるといった問題がある。
【０００７】
本発明は、上記問題点に鑑みてなされたものであり、内視鏡検査中に用いられる医療用具を容易かつ確実に保持することができる医療用具懸架装置を提供することを目的とする。
【課題を解決するための手段】
【０００８】
上記目的を達成するために本発明による医療用具懸架装置は、細長の医療用具の挿入部を保護する保護部材と、前記保護部材を係止する枠体と、前記保護部材を前記枠体に固定する固定手段と、を有することを特徴とする。
【０００９】
また、医療用具懸架装置は、細長の挿入部を有する医療用具を保持する医療用具保持手段と、前記医療用具保持手段に保持された前記医療用具の前記挿入部を保護する保護部材と、前記保護部材を係止する枠体と、前記保護部材を前記枠体に固定する固定手段と、前記医療用具保持手段を支持し、前記枠体を保持する支柱と、前記支柱に着脱自在に装着または固定されている脚部と、を有することを特徴とする。
【発明の効果】
【００１０】
本発明の医療用具懸架装置によれば、内視鏡検査中に用いられる医療用具を容易かつ確実に保持することができる。
【発明を実施するための最良の形態】
【００１１】
以下、図面を参照して本発明の実施例を説明する。
【００１２】
図１は、本発明の第１実施の形態を示す医療用具懸架装置の斜視図である。  
図１に示すように、医療用具懸架装置１は、支柱２０と、該支柱２０の上半部２０ａに装着された保持プレート１５と、該保持プレート１５に装着された医療用具保持手段である医療用具保持部材１０と、支柱２０の下半部２０ｂの一端に、ねじ２１によりその一端が接続された脚部３０とを有している。
【００１３】
また、医療用具懸架装置１は、脚部３０にねじ４１により固定された枠体４０と、該枠体４０に一部が固定された固定手段であるクリップ１００と、枠体４０に係止された保護部材６０と、上記脚部３０の他端に接続されたキャスタ５１を有する台５０とを有している。
【００１４】
医療用具懸架装置１は、台５０が処置室等の床面上に置かれて使用される。尚、台５０は、重量の重い板状部材により形成されており、医療用具懸架装置１が転倒するのを防止している。
【００１５】
尚、以下の説明においては、下方とは、枠体４０からみて床面方向をいい、上方とは、枠体４０からみて床面方向とは逆の方向をいう。  
支柱２０は、公知のオートクレーブや薬剤による滅菌に耐えうる耐熱性、耐薬性のある材質、例えばステンレスの管により構成されており、上方に延出した支柱２０の略中点が上方に延出した方向と直交する方向である横方向に折り曲げられることによりＬ字型形状を有している。尚、図中、中点から下方に突出した部位を下半部２０ｂ、中点から折り曲げられ横方向に突出した部位を上半部２０ａと称す。
【００１６】
支柱２０の上半部２０ａの先端は、保護キャップ２６によって被覆されている。また、支柱２０の上半部２０ａの上面には、上方に突出する突起である段付きピン２３が所定間隔に複数個配設されている。
【００１７】
図２は、図１の支柱２０，保持プレート１５及び医療用具保持部材１０の拡大斜視図、図３は、図２の保持プレート１５に医療用具保持部材１０が１つのみ装着されている状態を示す拡大斜視図である。  
図２に示すように、段付きピン２３は、支柱２０の上半部２０ａの外周上面から上方に突出するピン部２３ｂと該ピン部２３ｂの上端に形成された円板状の係止板２３ａとにより構成されている。
【００１８】
また、支柱２０の上半部２０ａにおける外周の一部に、後述する係止孔１６を段付きピン２３に係止させることにより保持プレート１５が着脱自在に装着されている。尚、ここでは、１つの保持プレート１５が装着されている状態を説明するが、支柱２０に複数の保持プレート１５が装着されていてもよい。
【００１９】
図２に示すように、保持プレート１５は、公知のオートクレーブや薬剤による滅菌に耐えうる耐熱性、耐薬性のある材質、例えば１枚の矩形状のステンレス板材により構成されており、床面に直交する方向（以下、高さ方向と称す）に対し横長の矩形部１５ａと、該矩形部１５ａの上端から高さ方向に直交する方向、即ち後方である背面側に折り曲げられた折り曲げ部１５ｂと、折り曲げ部１５ｂの一端から樋状に折り曲げられた樋部１５ｃとにより、構成されている。尚、樋部１５ｃは、支柱２０の外周面形状に沿うように樋状に折り曲げられた形状を有する。
【００２０】
樋部１５ｃに、所定間隔の位置に、孔１６ａと該孔１６ａに連設された孔１６ａよりも径の小さい孔１６ｂを有する係止孔１６が形成されている。尚、孔１６ａは、支柱２０の段付きピン２３の係止板２３ａよりも大きな径を有しており、孔１６ｂは、係止板２３ａよりも小さな径を有している。
【００２１】
保持プレート１５の折り曲げ部１５ｂ及び矩形部１５ａに、折り曲げ部１５ｂ並びに矩形部１５ａを連通する複数の保持孔１７が形成されている。詳しくは、保持孔１７は、図３に示すように、折り曲げ部１５ｂに形成された矩形孔１７ｂと、矩形部１５ａに形成され、該矩形孔１７ｂと連通し、矩形孔１７ｂよりも幅の狭い下方に延出した有底の連通孔１７ａとにより、構成されている。
【００２２】
このように構成された保持プレート１５を支柱２０に装着する際には、まず、保持プレート１５の係止孔１６の孔１６ａを支柱２０の段付きピン２３に係止させる。その後、保持プレート１５を高さ方向と直交する方向に移動させることにより、段付きピン２３を孔１６ｂに移動させる。
【００２３】
このことにより、孔１６ｂには、段付きピン２３のピン部２３ｂのみが嵌入し、該孔１６ｂの上方には、段付きピン２３の係止板２３ａが位置する。よって、係止板２３ａが、保持プレート１５の高さ方向の抜けをすることから、保持プレート１５が支柱２０に装着される。また、保持プレート１５に医療用具保持部材１０が装着されたままの状態においても、保持プレート１５は支柱２０から取り外すことができる。
【００２４】
さらに、保持プレート１５の保持孔１７には、弾性体であって、公知のオートクレーブや薬剤による滅菌に耐えうる耐熱性、耐薬性のある材質に耐久性のある材質、例えばシリコンゴムにより構成された処置具、プローブ、またはメジャー等を保持する医療用具保持部材１０が１個または複数個着脱自在に装着されている。尚、以下、医療用具保持部材１０は、処置具を保持する例を挙げて説明する。
【００２５】
医療用具保持部材１０を説明すると、図４は、図１乃至図３の医療用具保持部材の正面側斜視図、図５は、図４の医療用具保持部材の背側斜視図、図６は、図２の医療用具保持部材に、処置具を保持した状態を示す医療用具懸架装置１の斜視図である。
【００２６】
図４，図５に示すように、医療用具保持部材１０は、肉厚の略円筒体形状に形成されていて、円筒部１０ａの保持溝１１の前方には、高さ方向に保持溝１１の直径よりもやや狭い処置具の通過溝１２が形成されており、通過溝１２の一側方の下部前面には、Ｌ字形状のフック１０ｂが一体に形成されている。
【００２７】
医療用具保持部材１０は、シリコンゴムにより構成されている。よって、保持溝１１は、図６に示すように、外径の異なる処置具８０の操作部８０ａ等をゴムの弾性により確実に把持することにより保持する。
【００２８】
また、医療用具保持部材１０は、シリコンゴムにより構成されていることにより、保持溝１１に把持される処置具８０の操作部８０ａの外径が、保持溝１１よりも大きくても、保持溝１１は、処置具８０の操作部８０ａを把持することができる。
【００２９】
さらに、通過溝１２が形成された円筒部１０ａの一側壁面は、処置具８０の操作部８０ａ等を保持溝１１へ挿入する際、上記操作部８０ａ等をガイドするガイド部１０ｃとなっている。
【００３０】
フック１０ｂは、基端部を通過溝１２の一側方の下部前面に設けられ、前方に延び出した腕部は、その中程より外方に折り曲げられて、さらにその先端部は、高さ方向上方に向けて突出している。尚、フック１０ｂは、外方に折り曲げられていることにより、操作部８０ａを有する処置具８０（いずれも図６参照）を保持溝１１に前方から挿入する際の操作部８０ａの逃げ部となる。
【００３１】
医療用具保持部材１０のフック１０ｂに、図６に示すように、内視鏡を使用する際に用いる処置具８１であって、該処置具８１の操作部の後端側に形成された、術者が処置具を保持する際に親指を挿通させる処置具固定用のリング８１ａが係止される。このことにより医療用具保持部材１０は、処置具８１を保持する。
【００３２】
また、この医療用具保持部材１０の通過溝１２が形成された円筒部１０ａの一側壁面の上部に、例えば処置具等の図示しない薬液供給口を落とし込むための通過溝１２よりもやや広い幅を有するように切り込まれた切り込み部１０ｅが形成されている。
【００３３】
さらに、医療用具保持部材１０は、円筒部１０ａの背面に、図５に示すように、取り付け部１０ｄが一体に形成されている。そして、取り付け部１０ｄは、高さ方向に幅広に形成された、横断面が矩形状の厚みのある板体により形成されている。
【００３４】
取り付け部１０ｄの円筒部１０ａの背面寄り基部両側に、保持プレート１５の保持孔１７の連通孔１７ａ（いずれも図３参照）に挿入して取り付けるための切り込み１０ｆが形成されている。
【００３５】
即ち、取り付け部１０ｄは、高さ方向にレール状に形成されている。また、取り付け部１０ｄの背面側の両側隅部には、保持プレート１５の保持孔１７の連通孔１７ａへの挿入性を高めるための、面取りがなされている。
【００３６】
このように構成された医療用具保持部材１０は、取り付け部１０ｄを保持プレート１５の保持孔１７の矩形孔１７ｂに合わせ、切り込み１０ｆを保持プレート１５の保持孔１７の連通孔１７ａに挿入することにより、保持プレート１５に装着される。
【００３７】
この際、保持プレート１５に医療用具保持部材１０を、保持プレート１５に装着できる最大数を装着しても良いし、図３に示すように、１個のみ装着しても良い。また、図示しないが、保持する処置具の大小に応じて、隣接する処置具が接触しないよう、１個間隔をおいて医療用具保持部材１０を保持プレート１５に装着しても良い。
【００３８】
このように、保持プレート１５に装着された医療用具保持部材１０は、図６に示すように、１種類で様々な種類の処置具を保持溝１１及びフック１０ｂを用いて保持することができる。
【００３９】
図１に戻って、支柱２０の下半部２０ｂに、ねじ２１により他端が接続された脚部３０が接続されている。詳しくは、脚部３０は、例えば支柱２０の径よりも大きな径の円筒により構成されており、支柱２０は、脚部３０の内部に嵌入する。
【００４０】
脚部３０の外周には、ねじ２１が配設されており、ねじ２１の先端を脚部３０の内部に嵌入された支柱２０の外周面に圧接させることにより、支柱２０は、脚部３０に固定される。よって、支柱２０の外周面に対するねじ２１の先端の圧接位置を変えることにより、支柱２０の高さを変化させることができる。
【００４１】
さらに、脚部３０は、ねじ２１を外すだけで、支柱２０から脱却できるため、解体した状態で医療用具懸架装置１を収納できる。尚、本実施の形態においては、脚部３０は、ねじ２１を用いずに、支柱２０に固定されて形成されていてもよい。
【００４２】
また、脚部３０の上部に、枠体４０が接続されている。図７は、図１の枠体，脚部及び台を示した部分斜視図である。  
図７に示すように、枠体４０は、２つの折り曲げ部が形成された略コの字形状を有した、公知のオートクレーブや薬剤による滅菌に耐えうる耐熱性、耐薬性のある材質、例えばステンレスの管により形成されており、脚部３０の上部にねじ４１により固定角度が可変できるよう装着され保持されている。また、枠体４０の図中内側の周面に、図１１に示すように、後述する長穴４０ａが１または複数形成されている。
【００４３】
枠体４０は、通常は、脚部３０に対して、図７に示すように、手前側に傾斜した角度に固定される。このような角度に枠体４０を固定することにより、枠体４０に後述するビニル袋６０が装着しやすくなり、また各種処置具もビニル袋６０に収納しやすくなる。さらに脚部３０の上部にねじ４１により枠体４０の固定角度が可変できることから、使用者の身長に応じて、脚部３０に対する枠体４０の固定角度を可変させることができる。
【００４４】
また、枠体４０は、不使用の際には、固定角度を可変させることにより、脚部３０と平行となるように固定される。このことにより、収納時に、枠体４０をコンパクトに収納することができる。さらに、枠体４０は、ねじ４１を外すだけで、脚部３０から脱却できるため、解体した状態で医療用具懸架装置１を収納できる。
【００４５】
尚、枠体４０は、支柱２０の下半部２０ｂによって保持されていても良い。また、枠体４０は、本実施の形態においては、脚部３０または支柱２０の下半部２０ｂに固定されていても良い。
【００４６】
枠体４０は、保護部材である、例えばビニル袋６０（図１参照）を係止するものであり、ビニル袋６０は、上方を開口するよう、該ビニル袋６０の開口縁を、枠体４０に引っ掛けることにより、枠体４０に係止される。その後、ビニル袋６０の開口縁は、枠体４０の一部が固定された固定手段である１または複数のクリップ１００により枠体４０に固定される。
【００４７】
図６に示すように、保護手段であるビニル袋６０は、医療用具保持部材１０に保持された各種処置具の挿入部を収納し、上記各種処置具の挿入部が、直に床面や他の物、人等に接触するのを防止する。
【００４８】
尚、ビニル袋６０は、一般に市販されているもので良く、該市販されているものであれば、大きさ種類は問わない。また、保護手段としては、ビニル袋に限らず、袋状のものであれば、防水性を有する紙、または布であっても良い。
【００４９】
次に、クリップ１００の構成について説明する。図８は、図１のクリップ１００の拡大斜視図、図９は、図８のクリップ１００の接続部を枠体４０の穴に係合させたクリップの開放状態を示す部分斜視図、図１０は、図９のＸ−Ｘ線に沿う横断面図、図１１は、図９をＸＩの方向から見た透視正面図、図１２は、図９のクリップ１００の被覆部を枠体４０に被覆させたクリップの固定状態を示す部分斜視図、図１３は、図１２のＸＩＩＩ−ＸＩＩＩ線に沿う横断面図、図１４は、図１１のクリップの接続部を支柱の穴から脱却する際の状態を示す透視正面図である。
【００５０】
図８に示すように、クリップ１００は、弾性体、例えばバネ状の硬質の針金により構成されており、操作部１００ａと、被覆部１００ｂと、接続部１００ｃとにより主要部が構成されている。
【００５１】
詳しくは、クリップ１００は、略コの字状の操作部１００ａのそれぞれの一端から２つの被覆部１００ｂが樋状に折り曲げられて形成されており、該被覆部１００ｂのそれぞれの一端から、Ｕの字状を有して、互いの底面１００ｃ１が近接して対向するよう、折り曲げられて形成されている。尚、被覆部１００ｂは、枠体４０の外周面形状に沿うように樋状に折り曲げられた形状を有している。
【００５２】
このように、構成されたクリップ１００は、図１１に示すように、接続部１００ｃの一部が、枠体４０の長穴４０ａに嵌入されており、２つの接続部１００ｃのそれぞれの底面１００ｃ１が、長穴の長軸側の端部４０ａ１にそれぞれ係合されている。よって、クリップ１００は、枠体４０に固定されている。
【００５３】
枠体４０に、ビニル袋６０の開口縁が引っ掛けられて係止していない、所謂開放状態が、図９、図１０に示す状態である。クリップ１００の開放状態は、クリップ１００の２つの接続部１００ｃのそれぞれの底面１００ｃ１が、長穴の長軸側の端部４０ａ１にそれぞれ係合され、被覆部１００ｂが、枠体４０の外周面に被覆していない状態である。
【００５４】
この開放状態から、２つの接続部１００ｃを回動中心として、操作部１００ａが回転操作されると、クリップ１００の２つの被覆部１００ｂは枠体４０の外周面形状に沿うように樋状に折り曲げられた形状を有していることから、図１２、図１３に示すように、クリップ１００の２つの被覆部１００ｂが、枠体４０の外周面に被覆される。
【００５５】
尚、クリップ１００の２つの接続部１００ｃは、バネ状の針金により構成されていることから、図１４に示すように、２つの接続部１００ｃのそれぞれの底面１００ｃ１が、当接するよう、圧縮されることにより、長穴４０ａから脱却することもできる。即ち、クリップ１００は、枠体４０に対して着脱自在である。
【００５６】
以下、このように構成された本実施の形態の医療用具懸架装置１の作用を説明する。  
枠体４０にビニル袋６０を固定するに際しては、先ず、枠体４０にビニル袋６０の開口縁を引っ掛けて、枠体４０にビニル袋６０を係止、即ち仮止めする。
【００５７】
次に、ビニル袋６０の開口縁を枠体４０の外周面と、該枠体４０に２つの接続部１００ｃが固定された１または複数のクリップ１００の２つの被覆部１００ｂとの間に挟み、クリップ１００の２つの被覆部１００ｂを、枠体４０の外周面に被覆する。
【００５８】
このことにより、ビニル袋６０の開口縁は、１または複数のクリップ１００の２つの被覆部１００ｂと、枠体４０の外周面との間に挟着され、図１に示すように、ビニル袋６０が、枠体４０に固定される。
【００５９】
枠体４０にビニル袋６０が固定された後、上述した図６に示したように、医療用具保持部材１０の保持溝１１に、処置中に使用されていない処置具８０の操作部８０ａが挿通され、および／または医療用具保持部材１０のフック１０ｂに、処置中に使用されていない処置具８０の処置具固定用リング８１ａが係止される。このことのより、処置具８０，８１は医療用具保持部材１０に保持される。
【００６０】
この際、図６に示すように、処置具８０，８１の挿入部の外表面は、ビニル袋６０の中に収められる。尚、検査終了後は、処置具８０の操作部８０ａは、保持溝１１から脱却され、また処置具８１のリング８１ａは、フック１０ｂから脱却され、処置具８０，８１は、ビニル袋６０に収められる。
【００６１】
処置具８０，８１が収められたビニル袋６０を枠体４０から脱却する際は、クリップ１００の操作部１００ａが、被覆部１００ｂを枠体４０の外周面に被覆させたときと反対の方向に回転操作される。
【００６２】
このことにより、図９、図１０に示すように、クリップ１００は、開放状態となる。この開放状態において、ビニル袋６０は枠体４０から脱却される。尚、ビニル袋６０は、処置具を使用した患者が変更される毎に交換される。
【００６３】
その後、処置具８０，８１が収められたビニル袋６０は、図示しない洗浄装置に運ばれ、処置具８０，８１は、上記洗浄装置において洗浄され、その後、既知のオートクレーブ処理等により滅菌される。尚、ビニル袋６０は廃棄される。
【００６４】
このように、本発明の第１実施の形態を示す医療用具懸架装置１においては、処置の最中に使用されていない処置具８０，８１は、医療用具保持部材１０に保持され、処置具８０，８１の挿入部の外表面は、枠体４０に固定されたビニル袋６０に収められる。
【００６５】
よって、処置の最中に使用されていない処置具８０，８１は、医療用具保持部材１０により医療用具懸架装置１に容易かつ確実に保持される。
【００６６】
また、枠体４０へのビニル袋６０の固定に、枠体４０に接続部１００ｃが係合固定されたクリップ１００を用いることにより、大きさや種類の異なるビニル袋６０を枠体４０に固定することができる。また、ビニル袋６０は、一般に市販されているものでも利用可能であるため、購入が容易である。
【００６７】
さらに、ビニル袋６０を枠体４０に固定する際、ビニル袋６０側に、固定の為の構成を施す必要がない。また、枠体４０からビニル袋６０を脱却する際も容易に取り外すことができる。
【００６８】
また、クリップ１００は、枠体４０に接続部１００ｃが係合固定されていることにより、クリップ１００が、意図せずに枠体４０から外れることがないことから、クリップ１００の紛失を防ぐことができる。
【００６９】
尚、以下、変形例を示す。本実施の形態においては、クリップ１００は、バネ状の硬質の針金により構成されていると示したが、これに限らず、クリップ１００は、弾性体であれば、樹脂等どのようなもので構成されていてもよいことは云うまでもない。
【００７０】
尚、以下変形例を図１５，図１６を用いて説明する。図１５は、図９中のクリップの代わりに板バネを用いた変形例を示す部分斜視図、図１６は、図１５のＸＶＩ−ＸＶＩ線に沿う横断面図である。
【００７１】
本実施の形態においては、枠体４０にビニル袋６０を固定する固定手段は、弾性体であり、例えばバネ状の硬質の針金により構成されたクリップ１００を示した。これに限らず、図１５に示すように、弾性体であれば、板バネ１１０を用いて枠体４０にビニル袋６０を固定してもよい。
【００７２】
詳しくは、図１６に示すように、板バネ１１０は、操作部１１０ａと、被覆部１１０ｂと、接続部１１０ｃとにより主要部が構成されている。詳しくは、板バネ１１０は、操作部１１０ａの一端から被覆部１１０ｂが樋状に折り曲げられて形成されており、該被覆部１１０ｂの一端が接続部１１０ｃとなっている。尚、被覆部１１０ｂは、枠体４０の外周面形状に沿うように樋状に折り曲げられた形状を有している。
【００７３】
板バネ１１０の接続部１１０ｃは、枠体４０の外周面に、溶接またはネジ止め等によって固定されている。よって、枠体４０に、上述した第１実施の形態のように、クリップ１００の接続部１００ｃが係合される長穴４０ａを形成する必要がない。即ちこの場合、枠体４０は中実でよい。
【００７４】
よって、ビニル袋６０を枠体４０に固定する際には、ビニル袋６０の開口縁を、枠体４０の外周面と、該枠体４０に接続部１１０ｃが固定された板バネ１１０の被覆部１１０ｂとの間に挟み、被覆部１１０ｂを、枠体４０の外周面に被覆する。
【００７５】
このことにより、ビニル袋６０の開口縁は、板バネ１１０の被覆部１１０ｂと、枠体４０の外周面との間に挟着される。よって、ビニル袋６０は枠体４０に固定される。このように固定手段を板バネにより構成しても、大きさや種類の異なるビニル袋６０は枠体４０に容易かつ確実に着脱自在となることから本実施の形態と同様の効果を得ることができる。
【００７６】
また、板バネ１１０は、枠体４０に接続部１１０ｃが固定されていることにより、板バネ１１０が、枠体４０から外れることがないことから、板バネ１１０の紛失を防ぐことができる。
【００７７】
尚、以下別の変形例を図１７，図１８を用いて説明する。図１７は、図９中のクリップの変形例を示す部分斜視図、図１８は、図１７のＸＶＩＩＩ−ＸＶＩＩＩ線に沿う横断面図である。
【００７８】
本実施の形態においては、枠体４０にビニル袋６０を固定する固定手段は、弾性体であり、例えばバネ状の硬質の針金により構成されたクリップ１００を示した。これに限らず、図１７に示すように、弾性体であれば、例えば樹脂により構成された枠体４０に沿った形状を有するクリップ１２０を用いて枠体４０にビニル袋６０を固定してもよい。
【００７９】
詳しくは、図１７に示すように、クリップ１２０は、その断面が下向きのＵの字状を有しており、長手方向が枠体４０に沿った形状を有している。クリップ１２０の内周は、枠体４０の外周面形状に沿う形状に形成されており、被覆部１２０ｂを構成している。
【００８０】
クリップ１２０は、例えば２つ配設されており、２つのクリップ１２０は、接続部であるチェーン１２１を介して枠体４０に固定されている。このことにより、クリップ１２０が、枠体４０から外れることがないことから、クリップ１２０の紛失を防ぐことができる。
【００８１】
よって、ビニル袋６０を枠体４０に固定する際には、図１８に示すように、ビニル袋６０の開口縁を、枠体４０の外周面に係止させた後、２つのクリップ１２０の被覆部１２０ｂを、枠体４０の外周面に被覆する。このことにより、ビニル袋６０の開口縁は、２つのクリップ１２０の被覆部１２０ｂと、枠体４０の外周面との間に挟着される。よって、ビニル袋６０は枠体４０に固定される。
【００８２】
このように固定手段をクリップ１２０により構成しても、大きさや種類の異なるビニル袋６０は枠体４０に容易かつ確実に着脱自在となることから本実施の形態と同様の効果を得ることができる。また、クリップ１２０は、長手方向が枠体４０に沿った形状を有していることから、２つのみで、ビニル袋６０を枠体４０に固定することができる。
【００８３】
尚、クリップ１２０は、樹脂で構成されていると示したが、これに限らず、ゴムで構成されていても良いし、弾性体であればどのような部材で構成されていても構わない。
【００８４】
また、クリップ１２０は、２つ配設され、長手方向が枠体４０に沿った形状を有していると示したが、これに限らず、長手方向により短い形状を有していても良いし、短いクリップを数を増やして使用する構成としてもよい。
【００８５】
このようにクリップ１２０を長手方向に短く構成しても、大きさや種類の異なるビニル袋６０は枠体４０に容易かつ確実に着脱自在となることから本実施の形態と同様の効果を得ることができる。
【００８６】
また、本実施の形態においては、保持プレート１５と支柱２０の上半部２０ａとは、着脱自在であると示したが、保持プレート１５と支柱２０の上半部２０ａとは、固定されていてもよい。
【００８７】
さらに、医療用具保持部材１０は、保持プレート１５に着脱自在であると示したが、これに限らず、医療用具保持部材１０は、保持プレート１５に固定されていても良い。
【００８８】
（第２実施の形態）
図１９は、本発明の第２実施の形態を示す医療用具懸架装置の斜視図、図２０は、図１９の枠体を抽出して示した斜視図、図２１は、図２０の枠体のコイルバネが湾曲された状態を示す部分拡大図である。
【００８９】
この第２実施の形態の医療用具懸架装置２０１の構成は、上記図１乃至図１４に示した第１実施の形態の医療用具懸架装置１と比して、枠体及び固定手段の構成が異なる。よって、この相違点のみを説明し、第１実施の形態と同様の構成には同じ符号を付し、その説明は省略する。
【００９０】
図１９に示すように、医療用具懸架装置２０１の脚部３０の上部には、枠体４０２が接続されている。枠体４０２は、２つの折り曲げ部が形成された略コの字形状を有した、公知のオートクレーブや薬剤による滅菌に耐えうる耐熱性、耐薬性のある材質、例えばステンレスの管により形成されており、脚部３０の上部にねじ４１により固定角度が可変できるよう装着され保持されている。
【００９１】
尚、枠体４０２は、支柱２０の下半部２０ｂによって保持されていても良い。また、枠体４０２は、本実施の形態においては、脚部３０または支柱２０の下半部２０ｂに固定されていても良い。
【００９２】
また、図２０に示すように、枠体４０２の２つの先端部に、固定手段である弾性体、例えば図２１に示すように、湾曲自在なコイルバネ２００が接続されており、該コイルバネ２００の先端は、保護キャップ７６によって被覆されている。
【００９３】
枠体４０２は、保護部材である、例えばビニル袋６０を係止するものであり、ビニル袋６０は、上方を開口するよう、該ビニル袋６０の開口縁を、枠体４０２に引っ掛けられることにより、枠体４０２に係止される。その後、ビニル袋６０は、枠体４０２に接続されたコイルバネ２００の弾性力により、枠体４０２に固定されている。
【００９４】
以下、このように構成された本実施の形態の医療用具懸架装置２０１の作用を説明する。  
枠体４０２にビニル袋６０を固定するに際しては、先ず、枠体４０２にビニル袋６０の開口縁を引っ掛けて、枠体４０２にビニル袋６０を係止する。この際、枠体４０２の２つの先端に接続されたコイルバネ２００は、それぞれ図２０に示す湾曲されていない通常状態から図２１に示す状態に湾曲される。
【００９５】
その後、湾曲されたコイルバネ２００が開放されると、図１９に示すように、コイルバネ２００及びコイルバネ２００の先端に被覆された保護キャップ７６は、枠体４０２に係止されているビニル袋６０の内面を弾性力により押圧する。この際、コイルバネ２００の先端に保護キャップ７６が被覆されているため、ビニル袋６０を損傷することがない。よって、図１９に示すように、ビニル袋６０は、枠体４０２に固定される。
【００９６】
枠体４０２にビニル袋６０が固定された後、上述した図６に示したように、医療用具保持部材１０の保持溝１１に、処置の最中に使用されていない処置具８０の操作部８０ａが挿通され、および／または医療用具保持部材１０のフック１０ｂに、処置の最中に使用されていない処置具８０の処置具固定用リング８１ａが係止される。このことのより、処置具８０，８１は医療用具保持部材１０に保持される。
【００９７】
この際、図６に示すように、処置具８０，８１の挿入部の外表面は、ビニル袋６０の中に収められる。尚、検査終了後は、処置具８０の操作部８０ａは、保持溝１１から脱却され、また処置具８１のリング８１ａは、フック１０ｂから脱却され、処置具８０，８１は、ビニル袋６０に収められる。
【００９８】
処置具８０，８１が収められたビニル袋６０を枠体４０２から脱却する際は、コイルバネ２００が、ビニル袋６０の内面を押圧している方向と反対の方向に湾曲されることにより、その後、ビニル袋６０は枠体４０２から脱却される。さらにその後、コイルバネ２００は、図２０に示す湾曲されていない通常状態に戻る。尚、ビニル袋６０は、処置具を使用した患者が変更される毎に交換される。
【００９９】
その後、処置具８０，８１が収められたビニル袋６０は、図示しない洗浄装置に運ばれ、処置具８０，８１は、上記洗浄装置において洗浄され、その後、既知のオートクレーブ処理等により滅菌される。尚、ビニル袋６０は廃棄される。
【０１００】
このように、本発明の第２実施の形態を示す医療用具懸架装置２０１においては、処置の最中に使用されていない処置具８０，８１は、医療用具保持部材１０に保持され、処置具８０，８１の挿入部の外表面は、枠体４０２に固定されたビニル袋６０に収められる。
【０１０１】
よって、処置の最中に使用されていない処置具８０，８１は、医療用具保持部材１０により医療用具懸架装置２０１に容易かつ確実に保持される。
【０１０２】
また、枠体４０２へのビニル袋６０の固定に、枠体４０の先端に接続されているコイルバネ２００の弾性力を用いることにより、別途固定のための部品を設けずに、大きさや種類の異なるビニル袋６０を枠体４０２に固定することができる。また、ビニル袋６０は、一般に市販されているものでも利用可能であるため、購入が容易である。
【０１０３】
さらに、ビニル袋６０を枠体４０２に固定する際、ビニル袋６０側に、固定の為の構成を施す必要がない。また、枠体４０２からビニル袋６０を脱却する際も容易に取り外すことができる。
【０１０４】
以下、変形例を図２２、図２３を用いて示す。図２２は、図１９の枠体の変形例を示した医療用具懸架装置の部分斜視図、図２３は、図２２の枠体にビニル袋を固定した状態を示す部分斜視図である。
【０１０５】
上述した第２実施の形態においては、コイルバネ２００は、枠体４０２の先端に接続されていると示した。これに限らず、図２２に示すように、コイルバネ２００は、枠体４０２の全体を構成していても良い。即ち、コイルバネ２００により枠体４０２を構成しても良い。
【０１０６】
このような構成によれば、枠体４０２にビニル袋６０が固定される際は、図２３に示すように、先ず、枠体４０２にビニル袋６０の開口縁が引っ掛けられることにより、枠体４０２にビニル袋６０が係止される。この際、枠体４０２であるコイルバネ２００は、それぞれ図２２に示す湾曲されていない通常状態から圧縮状態となるように湾曲される。
【０１０７】
その後、湾曲されたコイルバネ２００が圧縮状態から開放されると、図２３に示すように、コイルバネ２００全体は、枠体４０２に係止されているビニル袋６０の内面を弾性力により押圧する。よって、ビニル袋６０は、枠体４０２に固定される。
【０１０８】
このように、枠体４０２を構成しても、上述した第２実施の形態の医療用具保護装置と同様の効果を得ることができる。
【０１０９】
また、以下、別の変形例を示す。本実施の形態においては、弾性部材は、湾曲自在なコイルバネを示したが、これに限らず、湾曲自在なゴムであってもよい。また、弾性を有し、湾曲自在なものであれば、どのようなものであっても良いことは勿論である。
【０１１０】
さらに、本実施の形態においては、枠体４０２へのビニル袋６０の係止は、ビニル袋６０の上方を開口するよう、該ビニル袋６０の開口縁を、枠体４０２に引っ掛けることにより行われると示した。
【０１１１】
これに限らず、ビニル袋６０の開口縁は、枠体４０２に引っ掛けずに、枠体４０２の外周面に当接させ、この状態において、固定手段を用いてビニル袋６０を枠体４０２に固定しても良いということは云うまでもない。
【０１１２】
また、本実施の形態においても、コイルバネ２００の他に、第１実施の形態に示したクリップ１００を用いればより効果的に大きさや種類の異なるビニル袋６０を枠体４０２に固定することができるということは云うまでもない。
【０１１３】
（第３実施の形態）
図２４は、本発明の第３実施の形態を示す医療用具懸架装置に用いる枠体と保護部材の拡大斜視図、図２５は、図２４のＸＸＶ−ＸＸＶ線に沿う縦断面図、図２６は、図２５の枠体の固定手段を枠体内に圧縮させたことを示す拡大斜視図、図２７は、図２６のＸＸＶＩＩ−ＸＸＶＩＩ線に沿う縦断面図である。
【０１１４】
この第３実施の形態の医療用具懸架装置３０１の構成は、上記図１乃至図１４に示した第１実施の形態の医療用具懸架装置１と比して、枠体及び固定手段の構成が異なる。よって、この相違点のみを説明し、第１実施の形態と同様の構成には同じ符号を付し、その説明は省略する。
【０１１５】
図２４に示すように、医療用具懸架装置３０１の脚部３０（図１参照）の上部には、枠体４０３が接続されている。枠体４０３は、２つの折り曲げ部が形成された略コの字形状を有した、公知のオートクレーブや薬剤による滅菌に耐えうる耐熱性、耐薬性のある材質、例えばステンレスの管により形成されており、脚部３０の上部にねじ４１（図１参照）により固定角度が可変できるよう装着され保持されている。
【０１１６】
尚、枠体４０３は、支柱２０の下半部２０ｂ（いずれも図１参照）によって保持されていても良い。また、枠体４０３は、本実施の形態においては、脚部３０または支柱２０の下半部２０ｂに固定されていても良い。
【０１１７】
また、図２５に示すように、枠体４０３の２つの先端部に、有底穴４０３ｈがそれぞれ形成されており、該有底穴４０３ｈに、固定手段である弾性部材、例えばコイルバネ３１０が嵌入されており、該コイルバネ３１０の先端に、例えば樹脂により構成されている固定手段である押圧部材３００が接続されている。
【０１１８】
枠体４０３は、保護部材である、例えばビニル袋６０を係止するものであり、ビニル袋６０は、上方を開口するよう、該ビニル袋６０の開口縁を、枠体４０３に引っ掛けられることにより、枠体４０３に係止される。その後、ビニル袋６０は、枠体４０３の先端に有底穴４０３ｈに嵌入されたコイルバネ３１０の弾性力により前方に突出した押圧部材３００により枠体４０３に固定されている。
【０１１９】
以下、このように構成された本実施の形態の医療用具懸架装置３０１の作用を説明する。  
枠体４０３にビニル袋６０を固定するに際しては、先ず、枠体４０３にビニル袋６０の開口縁を引っ掛けて、枠体４０３にビニル袋６０を仮止めする。この際、枠体４０３の２つの先端に形成された有底穴４０３ｈに嵌入された押圧部材３００は、図２６、図２７に示すように、コイルバネ３１０が圧縮されることにより、有底穴４０３ｈに深く嵌入される。
【０１２０】
その後、圧縮されたコイルバネ３１０が開放されると、図２４、図２５に示すように、コイルバネ３１０の先端に接続された押圧部材３００は、有底穴４０３ｈから飛び出し、枠体４０３に係止されているビニル袋６０の内面をコイルバネ３１０の弾性力により押圧する。この際、押圧部材３００は、樹脂により構成されているため、ビニル袋６０を損傷することがない。よって、図２４に示すように、ビニル袋６０は、枠体４０３に固定される。
【０１２１】
枠体４０３にビニル袋６０が固定された後、上述した図６に示したように、医療用具保持部材１０の保持溝１１に、処置の最中に使用されていない処置具８０の操作部８０ａが挿通され、および／または医療用具保持部材１０のフック１０ｂに、処置の最中に使用されていない処置具８０の処置具固定用リング８１ａが係止される。このことのより、処置具８０，８１は医療用具保持部材１０に保持される。
【０１２２】
この際、図６に示すように、処置具８０，８１の挿入部の外表面は、ビニル袋６０の中に収められる。尚、検査終了後は、処置具８０の操作部８０ａは、保持溝１１から脱却され、また処置具８１のリング８１ａは、フック１０ｂから脱却され、処置具８０，８１は、ビニル袋６０に収められる。
【０１２３】
処置具８０，８１が収められたビニル袋６０を枠体４０３から脱却する際は、押圧部材３００を介してコイルバネ３１０が圧縮されることにより、押圧部材３００が有底穴４０３ｈ内に嵌入される。その後、ビニル袋６０は枠体４０３から脱却される。
【０１２４】
さらに、その後、コイルバネ３１０及び押圧部材３００は、図２５に示す通常状態に戻る。尚、ビニル袋６０は、処置具を使用した患者が変更される毎に交換される。
【０１２５】
その後、処置具８０，８１が収められたビニル袋６０は、図示しない洗浄装置に運ばれ、処置具８０，８１は、上記洗浄装置において洗浄され、その後、既知のオートクレーブ処理等により滅菌される。尚、ビニル袋６０は廃棄される。
【０１２６】
このように、本発明の第３実施の形態を示す医療用具懸架装置３０１においては、処置の最中に使用されていない処置具８０，８１は、医療用具保持部材１０に保持され、処置具８０，８１の挿入部の外表面は、枠体４０３に固定されたビニル袋６０に収められる。
【０１２７】
よって、処置の最中に使用されていない処置具８０，８１は、医療用具保持部材１０により医療用具懸架装置３０１に容易かつ確実に保持される。
【０１２８】
また、枠体４０３へのビニル袋６０の固定に、枠体４０の先端に形成されている有底穴４０３ｈに嵌入されているコイルバネ３１０の弾性力、及びコイルバネ３１０に接続された押圧部材３００を用いることにより、別途固定のための部品を設けずに、大きさや種類の異なるビニル袋６０を枠体４０３に固定することができる。また、ビニル袋６０は、一般に市販されているものでも利用可能であるため、購入が容易である。
【０１２９】
さらに、ビニル袋６０を枠体４０３に固定する際、ビニル袋６０側に、固定の為の構成を施す必要がない。また、枠体４０３からビニル袋６０を脱却する際も容易に取り外すことができる。
【０１３０】
以下、変形例を示す。本実施の形態においては、弾性部材は、湾曲自在なコイルバネを示したが、これに限らず、弾性を有し、湾曲自在なものであれば、どのようなものであっても良いことは勿論である。
【０１３１】
また、本実施の形態においても、コイルバネ３１０及び押圧部材３００の他に、第１実施の形態に示したクリップ１００を用いれば、より効果的に大きさや種類の異なるビニル袋６０を枠体４０３に固定することができるということは云うまでもない。
【０１３２】
ところで、枠体にビニル袋を固定する方法としては、枠体に突起を設け、該突起にビニル袋を引っ掛けてビニル袋に孔を空けることにより、枠体にビニル袋を固定してもよい。図２８は、枠体に突起を設けたことを示す拡大斜視図である。
【０１３３】
図２８に示すように、枠体４０４の外周面に、１または複数の突起６００が固定されている。詳しくは、枠体４０４の外周面に一端が固定された突起６００は、上方に延出し、上部が、下方に折り曲げられることにより折り曲げられた部位に接続部６００ａが形成されている。
【０１３４】
枠体４０４にビニル袋６０が固定される際は、先ず、枠体４０３にビニル袋６０の開口縁が引っ掛けられることにより、枠体４０４にビニル袋６０が係止される。その後、ビニル袋６０の開口縁は、突起６００の接続部６００ａによって孔が空けられる。このことにより、ビニル袋６０は、枠体４０４に固定される。
【０１３５】
尚、接続部６００ａは、下方に折り曲げられていることから、術者等が不用意にぶつかった際、接続部６００ａによりけがをすることを防ぐことができる。
【０１３６】
このような構成によっても、大きさや種類の異なるビニル袋６０を枠体４０４に固定することができる。
【０１３７】
さらに、第１実施の形態や第２実施の形態、第３実施の形態と組み合わせて使用すると、より効果的にビニル袋６０を枠体４０４に係止することができる。
【０１３８】
また、上述した第１〜第３実施の形態の医療用具懸架装置においては、医療用具は、内視鏡使用の際に用いられるものに適用する例を挙げて示したが、これに限らず、使用の際に一時的に懸架したり、保管の際に懸架したりすることができる他の医療用具についても適用できるということは勿論である。
【０１３９】
［付記］
以上詳述した如く、本発明の実施例によれば、以下の如き構成を得ることができる。即ち、
（１）細長の医療用具の挿入部を保護する保護部材と、
前記保護部材を係止する枠体と、
前記保護部材を前記枠体に固定する固定手段と、
を有することを特徴とする医療用具懸架装置。
【０１４０】
（２）細長の挿入部を有する医療用具を保持する医療用具保持手段と、
前記医療用具保持手段に保持された前記医療用具の前記挿入部を保護する保護部材と、
前記保護部材を係止する枠体と、
前記保護部材を前記枠体に固定する固定手段と、
前記医療用具保持手段を支持し、前記枠体を保持する支柱と、
前記支柱に着脱自在に装着または固定されている脚部と、
を有することを特徴とする医療用具懸架装置。
【０１４１】
（３）前記保護部材は、防水性を有する袋であり、該袋に開口部が形成されており、該開口部の開口縁が前記枠体に係止されることを特徴とする付記１または２に記載の医療用具懸架装置。
【０１４２】
（４）前記保護部材は、前記枠体に対し交換自在に取付けられることを特徴とする付記１〜３のいずれかに記載の医療用具懸架装置。
【０１４３】
（５）前記枠体は、２つの折り曲げ部が形成された略コの字状を有する棒状部材により構成されていることを特徴とする付記１〜４のいずれかに記載の医療用具懸架装置。
【０１４４】
（６）前記固定手段は、接続部と、前記枠体を被覆する被覆部とを有し、前記接続部は、前記枠体に固定されていることを特徴とする付記１〜５のいずれかに記載の医療用具懸架装置。
【０１４５】
（７）前記枠体は、管状に形成されており、該管の周面に穴が穿設されており、該穴に、前記固定手段の接続部が係合固定されていることを特徴とする付記６に記載の医療用具懸架装置。
【０１４６】
（８）前記枠体は、前記支柱または前記脚部に着脱自在かつ固定角度自在に保持されていることを特徴とする付記１〜７に記載の医療用具懸架装置。
【０１４７】
（９）前記固定手段は、前記枠体に着脱自在であることを特徴とする付記１〜８のいずれかに記載の医療用具懸架装置。
【０１４８】
（１０）前記固定手段は、弾性部材により構成されていることを特徴とする請求項１〜９のいずれかに記載の医療用具懸架装置。
【０１４９】
（１１）前記固定手段は、前記枠体の先端に一部が固定されたコイルバネであることを特徴とする請求項１〜５、または８〜１０のいずれかに記載の医療用具懸架装置。
【０１５０】
（１２）前記固定手段は、前記枠体の全体を構成していることを特徴とする付記１〜５または８〜１０のいずれかに記載の医療用具懸架装置。
【０１５１】
（１３）前記枠体の先端に、さらに有底穴が形成されており、前記固定手段は、前記有底穴に嵌入された弾性部材を有する押圧部材であることを特徴とする付記１〜５、８〜１０のいずれかに記載の医療用具懸架装置。
【０１５２】
（１４）前記医療用具保持手段は、前記医療用具の操作部を保持するときの保持形態が異なる複数の保持部を有し、これら保持部が一体的に構成されてなることを特徴とする付記１〜１３に記載の医療用具懸架装置。
【０１５３】
（１５）前記医療用具保持手段は、前記医療用具の操作部を保持する保持溝と、前記医療用具の操作部のリング部が係止されるフック部とを有することを特徴とする付記１４に記載の医療用具懸架装置。
【０１５４】
（１６）前記医療用具保持手段が係止される保持プレートと、この保持プレートを支持する支柱とを有し、
前記保持プレートは、前記支柱に対し着脱自在に構成され、
前記医療用具保持手段は、前記保持プレートに対して着脱自在に構成されたことを特徴とする付記１５または１６に記載の医療用具懸架装置。
【０１５５】
（１７）前記医療用具保持手段は、弾性体により形成されていることを特徴とする付記１４〜１６のいずれかに記載の医療用具懸架装置。
【０１５６】
（１８）前記医療用具保持手段は、前記保持プレートに対して複数着脱自在であることを特徴とする付記１４〜１７のいずれか１つに記載の医療用具懸架装置。
【０１５７】
（１９）前記医療用具保持手段は、前記医療用具の操作部を前記保持溝に挿入するに際して、前記医療用具の操作部をガイドするガイド部をさらに有することを特徴とする付記１４〜１８のいずれか１つに記載の医療用具懸架装置。
【０１５８】
（２０）前記医療用具保持手段は、オートクレーブに耐えうる耐熱性又は薬剤による滅菌に耐えうる耐薬性を有する部材により構成されていることを特徴とする付記１４〜１９のいずれか１つに記載の医療用具懸架装置。
【０１５９】
（２１）前記医療用具保持手段は、該医療用具を保持する手段の背面に、横断面が矩形状を有する前記医療用具保持手段の高さ方向にレール状に形成された取り付け部を有し、また前記保持プレートは、前記医療用具保持手段を係止するための保持孔を有し、前記取り付け部は、前記保持孔に対し、着脱自在に挿入されることを特徴とする付記１４〜２０のいずれか１つに記載の医療用具懸架装置。
【０１６０】
（２２）前記医療用具保持手段の保持溝は、テーパ面が形成されていることを特徴とする付記１４〜２１のいずれかに記載の医療用具懸架装置。
【０１６１】
（２３）前記医療用具保持手段の保持溝は、段付き形状に形成されていることを特徴とする付記１４〜２２のいずれかに記載の医療用具懸架装置。
【０１６２】
（２４）前記医療用具保持手段のフック部は、前記医療用具保持手段の前面に、前記医療用具保持手段の高さ方向に突出するＬ字形に形成されていることを特徴とする付記１５〜２３のいずれかに記載の医療用具懸架装置。
【０１６３】
（２５）前記医療用具保持手段のフック部は、略中点が前記医療用具を保持する手段の高さ方向に略直交する方向に対し所定の角度を以て外方に折り曲げられた形状を有することを特徴とする付記１５〜２４のいずれかに記載の医療用具懸架装置。
【０１６４】
（２６）前記医療用具保持手段の取り付け部は、前記医療用具保持手段の高さ方向に対して略直交する方向に一対の抜け止め用凸部を有しており、また前記保持プレートの保持孔は、前記保持プレートの高さ方向に対して略直交する方向に一対の抜け止め用凹部を有しており、前記取り付け部を前記保持孔に挿入した際、前記一対の抜け止め用凸部は、前記一対の抜け止め用凹部に係止されることを特徴とする付記２１〜２５のいずれかに記載の医療用具懸架装置。
【０１６５】
（２７）前記医療用具保持手段は、前記保持孔に前記医療用具が把持された際、前記医療用具に形成された一対の係止部により、前記医療用具を保持する手段の高さ方向において、挟持されることを特徴とする付記２１〜２６のいずれか１つに記載の医療用具懸架装置。
【０１６６】
（２８）前記保持プレートは、前記支柱に対して複数着脱自在であることを特徴とする付記１６〜２７のいずれかに記載の医療用具懸架装置。
【０１６７】
（２９）前記保持プレートには、係止孔が形成されているおり、また前記支柱には、突起が形成されており、前記係止孔が、前記突起に係止されることにより、前記保持プレートは、前記支柱に装着されることを特徴とする付記１６〜２８のいずれかに記載の医療用具懸架装置。
【０１６８】
（３０）前記係止孔は、径の異なる大小の２つの孔により構成されており、前記突起は、該突起の上端部に、前記係止孔の小さい孔の径よりも大きい径を有する係止板が形成された段付きピンで構成されており、前記段付きピンは、前記係止板が前記係止孔の小さい孔に嵌入することにより、前記保持プレートが、前記支柱に対し、高さ方向に脱却するのを防止することを特徴とする付記１６〜２９のいずれかに記載の医療用具懸架装置。
【０１６９】
（３１）前記保持プレートは、マグネットにより構成されており、前記保持プレートは、マグネットにより、前記支柱に対し着脱自在であることを特徴とする付記１６〜３０のいずれかに記載の医療用具懸架装置。
【０１７０】
（３２）前記支柱は、該支柱に着脱自在に接続される脚部を有することを特徴とする付記１６〜３１のいずれかに記載の医療用具懸架装置。
【０１７１】
（３３）前記脚部は、前記支柱の高さを調節できることを特徴とする付記３２に記載の医療用具懸架装置。
【０１７２】
（３４）前記脚部は、キャスタ付きの台に着脱自在に接続されることを特徴とする付記３２または３３に記載の医療用具懸架装置。
【０１７３】
（３５）前記医療用具保持手段は、ディスポーザブルの部材で構成されていることを特徴とする付記１４〜３４のいずれかに記載の医療用具懸架装置。
【０１７４】
（３６）前記ディスポーザブルの部材は、発泡スチロールであることを特徴とする付記３５に記載の医療用具懸架装置。
【図面の簡単な説明】
【０１７５】
【図１】本発明の第１実施の形態を示す医療用具懸架装置の斜視図。
【図２】図１中の支柱，保持プレート及び医療用具保持部材の拡大斜視図。
【図３】図２中の保持プレートに医療用具保持部材が１つのみ装着されている状態を示す拡大斜視図。
【図４】図１乃至図３中の医療用具保持部材の正面側斜視図。
【図５】図４中の医療用具保持部材の背面側斜視図。
【図６】図２中の医療用具保持部材に、医療用具を保持した状態を示す医療用具懸架装置の斜視図。
【図７】図１中の枠体，脚部及び台を示した部分斜視図。
【図８】図１中のクリップの拡大斜視図。
【図９】図８中のクリップの接続部を枠体の穴に係合させたクリップの開放状態を示す部分斜視図。
【図１０】図９中のＸ−Ｘ線に沿う横断面図。
【図１１】図９をＸＩの方向から見た透視正面図。
【図１２】図９中のクリップの被覆部を枠体に被覆させたクリップの固定状態を示す部分斜視図。
【図１３】図１２中のＸＩＩＩ−ＸＩＩＩ線に沿う横断面図。
【図１４】図１１中のクリップの接続部を支柱の穴から脱却する際の状態を示す透視正面図。
【図１５】図９中のクリップの代わりに板バネを用いた変形例を示す部分斜視図。
【図１６】図１５中のＸＶＩ−ＸＶＩ線に沿う横断面図。
【図１７】図９中のクリップの変形例を示す部分斜視図。
【図１８】図１７中のＸＶＩＩＩ−ＸＶＩＩＩ線に沿う横断面図。
【図１９】本発明の第２実施の形態を示す医療用具懸架装置の斜視図。
【図２０】図１９中の枠体を抽出して示した斜視図。
【図２１】図２０中の枠体のコイルバネが湾曲された状態を示す部分拡大図。
【図２２】図１９中の枠体の変形例を示した医療用具懸架装置の部分斜視図。
【図２３】図２２中の枠体にビニル袋を固定した状態を示す部分斜視図。
【図２４】本発明の第３実施の形態を示す医療用具懸架装置に用いる枠体と保護部材の拡大斜視図。
【図２５】図２４中のＸＸＶ−ＸＸＶ線に沿う縦断面図。
【図２６】図２５中の枠体の固定手段を枠体内に圧縮させたことを示す拡大斜視図。
【図２７】図２６中のＸＸＶＩＩ−ＸＸＶＩＩ線に沿う縦断面図。
【図２８】図１中の枠体に突起を設けた変形例を示す拡大斜視図。
【符号の説明】
【０１７６】
１…医療用具懸架装置
１０…医療用具保持部材
２０…支柱
３０…脚部
４０…枠体
６０…ビニル袋
８０…処置具
８１…処置具
１００…クリップ
１００ｂ…被覆部
１００ｃ…接続部
１１０…板バネ
１２０…クリップ
１２１…接続部
２００…コイルバネ
２０１…医療用具懸架装置
３００…押圧部材
３０１…医療用具懸架装置
３１０…コイルバネ
４０２…枠体
４０３…枠体
４０３ｈ…有底穴
代理人    弁理士    伊藤  進
【図１】
2005323944.tif 000003
【図２】
2005323944.tif 000004
【図３】
2005323944.tif 000005
【図４】
2005323944.tif 000006
【図５】
2005323944.tif 000007
【図６】
2005323944.tif 000008
【図７】
2005323944.tif 000009
【図８】
2005323944.tif 000010
【図９】
2005323944.tif 000011
【図１０】
2005323944.tif 000012
【図１１】
2005323944.tif 000013
【図１２】
2005323944.tif 000014
【図１３】
2005323944.tif 000015
【図１４】
2005323944.tif 000016
【図１５】
2005323944.tif 000017
【図１６】
2005323944.tif 000018
【図１７】
2005323944.tif 000019
【図１８】
2005323944.tif 000020
【図１９】
2005323944.tif 000021
【図２０】
2005323944.tif 000022
【図２１】
2005323944.tif 000023
【図２２】
2005323944.tif 000024
【図２３】
2005323944.tif 000025
【図２４】
2005323944.tif 000026
【図２５】
2005323944.tif 000027
【図２６】
2005323944.tif 000028
【図２７】
2005323944.tif 000029
【図２８】
2005323944.tif 000030